(57)【特許請求の範囲】
【請求項１】
設置面形状が略矩形状の空気調和機の本体に設けられる貯水槽と、この貯水槽に水平方向の回動軸により回動可能に軸支されるフロートと、このフロートの前記貯水槽の水位、または前記本体の転倒による回動位置を検出して前記本体に設けた電気回路を制御するスイッチ手段を有し、前記フロートの回動軸を、前記本体の長手方向と同一水平面上で交差する方向に設置し、転倒スイッチを兼ねた水位検出装置。
【請求項２】
フロートの回動軸の軸方向と本体の長手方向との交差角度を４５度以内とした請求項１記載の水位検出装置。
【請求項３】
スイッチ手段は、フロート天面に設けたマグネットと、本体に設けたマグネットセンサーからなり、前記マグネットを前記マグネットセンサーの直下に配置し、前記スイッチ手段を中心として、前記フロートの回動軸を本体の長手方向と交差する方向に設けた請求項１または２記載の水位検出装置。
【請求項４】
設置面形状が略矩形状の空気調和機の本体に設けられる貯水槽と、この貯水槽に回動可能に軸支されるフロートと、このフロートの前記貯水槽の水位、または前記本体の転倒による回動位置を検出して前記本体に設けた電気回路を制御するスイッチ手段を有し、前記フロートの回動軸の方向を前記本体の長手方向に合致させ、前記フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を有し、前記フロートの回動軸が傾いたとき、前記当板部の傾斜面が前記支持脚部の突起片に当接して、前記フロートの回動軸が傾斜面に沿う方向に回動可能とし、転倒スイッチを兼ねた水位検出装置。
【請求項５】
設置面形状が略矩形状の空気調和機の本体に設けられる貯水槽と、この貯水槽に回動可能に軸支されるフロートと、このフロートの前記貯水槽の水位、または前記本体の転倒による回動位置を検出して前記本体に設けた電気回路を制御するスイッチ手段と、前記フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を有し、前記フロートの回動軸が傾いたとき、前記当板部の傾斜面が前記支持脚部の突起片に当接して、前記フロートの回動軸が傾斜面に沿う方向に回動可能とし、転倒スイッチを兼ねた請求項１〜３のいずれかに記載の水位検出装置。
【請求項６】
支持脚部は、フロートの回動軸をスラスト方向に遊びを設けて軸支し、前記回動軸が傾いたとき微小移動可能とした請求項１〜５のいずれかに記載の水位検出装置。
【請求項７】
スイッチ手段は、フロート天面に設けたマグネットと、本体に設けたマグネットセンサーからなり、前記マグネットを前記フロートの回動軸中心より偏心して配置するとともに、前記フロートの下端部を前記マグネットと反対方向に突出して設けた請求項１〜６のいずれかに記載の水位検出装置。
【請求項８】
フロートの胴体形状を楕円形状とするとともに、楕円の短径を回動軸方向に設けた請求項１〜７のいずれかに記載の水位検出装置。
【請求項９】
本体の転倒時に回動したフロートを一時的に係止する係止手段を設けた請求項１〜８のいずれかに記載の水位検出装置。
【請求項１０】
係止手段として、回動したフロートを一時的に係止する第１の係止具を支持脚部に設けた請求項９記載の水位検出装置。
【請求項１１】
貯水槽の開口する上面を覆うカバーを備え、係止手段として、回動したフロートを一時的に係止する第２の係止具を前記カバーに設けた請求項９記載の水位検出装置。
【発明の詳細な説明】
【技術分野】
【０００１】
本発明は、空気調和機に設けられる貯水槽の水位を検出する水位検出装置に関する。
【背景技術】
【０００２】
従来の除湿機などの空気調和機には除湿したドレン水を貯える貯水槽を備えており、貯水槽の水位を検出する水位検出装置は、貯水槽の水位によって上下移動するフロートにマグネット（永久磁石）を取り付け、本体側にマグネットセンサーを配置することで、水位検出するものが知られている（例えば、特許文献１参照）。
【０００３】
以下、その水位検出装置について図１７を参照しながら説明する。
【０００４】
図に示すように、空気調和機の本体１０１に設けられる貯水槽１０２と、この貯水槽１０２の長手方向に軸部１０３を有し、その軸部１０３を回動中心として回動可能に軸支されるフロート１０４と、このフロート１０４の天面に設けたマグネット１０５と、本体１０１に設けたマグネットセンサー１０６から電気回路を制御するスイッチ手段を構成し、フロート１０４は下面を開口した逆椀状とするとともに、フロート１０４の下面を、フロート１０４の軸支方向と交差する方向に斜めにカットしたカット面１０７を形成し、貯水槽１０２の水位の上昇に伴って、フロート１０４が回動する方向にカット面１０７の最下端部を設け、貯水槽１０２の水位が上昇すると、フロート１０４のカット面１０７の最下端部が押し上げられ、フロート１０４は軸支点を中心として一方向に回動し、この回動位置が所定位置となったとき、マグネットセンサー１０６が働いて本体１０１の電気回路を制御することができる。
【０００５】
また、本体１０１の幅の狭い前後方向の転倒時には、フロート１０４が軸部１０３を中心に回動し、マグネット１０５がマグネットセンサー１０６から遠ざかるので、本体１０１の通電を停止することにより、水位検出装置が転倒スイッチを兼ねることができるものである。
【特許文献１】特許第３９５２９６９号公報（図１）
【発明の開示】
【発明が解決しようとする課題】
【０００６】
このような従来の水位検出装置では、本体の転倒時に電気回路をオフする転倒スイッチとしての機能を兼ねており、フロートの回動軸に対して垂直方向の転倒に対しては転倒スイッチとして機能するが、フロートの回動軸に対して同一方向の転倒に対しては転倒スイッチとして機能せず、本体の運転が停止しないという課題があり、前後左右４方向の転倒に対して動作することが要求されている。
【０００７】
また、水位検出装置は本体の転倒時に電気回路をオフして安全性を確保しているが、転倒した本体を起立させたときに、フロートが自動的に回動して元の位置に戻るため、本体が不用意に再起動することになり、本体内が浸水している場合は、漏電や感電の危険性があるという課題があり、本体を起立させた際に不用意に再起動しないことが要求されている。
【０００８】
本発明は、このような従来の課題を解決するものであり、本体が前後左右のいずれの方向に転倒しても運転を停止するように動作し、また本体を起立させた際に不用意に再起動しない安全性の高い転倒スイッチを兼ねた水位検出装置を提供することを目的としている。
【課題を解決するための手段】
【０００９】
本発明の水位検出装置は上記目的を達成するために、設置面形状が略矩形状の空気調和機の本体に設けられる貯水槽と、この貯水槽に水平方向の回動軸により回動可能に軸支されるフロートと、このフロートの前記貯水槽の水位、または前記本体の転倒による回動位置を検出して前記本体に設けた電気回路を制御するスイッチ手段を有し、前記フロートの回動軸を、前記本体の長手方向と同一水平面上で交差する方向に設置し、転倒スイッチを兼ねたものである。
【００１０】
また他の手段は、フロートの回動軸の軸方向と本体の長手方向との交差角度を４５度以内としたものである。
【００１１】
また他の手段は、フロート天面に設けたマグネットと、本体に設けたマグネットセンサーからスイッチ手段を構成し、前記マグネットを前記マグネットセンサーの直下に配置し、前記スイッチ手段を中心として、前記フロートの回動軸を本体の長手方向と交差する方向に設けたものである。
【００１２】
また他の手段は、設置面形状が略矩形状の空気調和機の本体に設けられる貯水槽と、この貯水槽に回動可能に軸支されるフロートと、このフロートの前記貯水槽の水位、または前記本体の転倒による回動位置を検出して前記本体に設けた電気回路を制御するスイッチ手段を有し、前記フロートの回動軸の方向を前記本体の長手方向に合致させ、前記フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を有し、前記フロートの回動軸が傾いたとき、前記当板部の傾斜面が前記支持脚部の突起片に当接して、前記フロートの回動軸が傾斜面に沿う方向に回動可能とし、転倒スイッチを兼ねたものである。
【００１３】
また他の手段は、設置面形状が略矩形状の空気調和機の本体に設けられる貯水槽と、この貯水槽に回動可能に軸支されるフロートと、このフロートの前記貯水槽の水位、または前記本体の転倒による回動位置を検出して前記本体に設けた電気回路を制御するスイッチ手段と、前記フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を有し、前記フロートの回動軸が傾いたとき、前記当板部の傾斜面が前記支持脚部の突起片に当接して、前記フロートの回動軸が傾斜面に沿う方向に回動可能としたものであり、前記フロートの回動軸を前記本体を横断する長手方向に交差させ、転倒スイッチを兼ねたものである。
【００１４】
また他の手段は、フロートの回動軸をスラスト方向に遊びを設けて軸支する支持脚部と、前記回動軸が傾いたとき微小移動可能としたものである。
【００１５】
また他の手段は、フロート天面に設けたマグネットと、本体に設けたマグネットセンサーからスイッチ手段を構成し、前記マグネットを前記フロートの回動軸中心より偏心して配置するとともに、前記フロートの下端部を前記マグネットと反対方向に突出して設けたものである。
【００１６】
また他の手段は、フロートの胴体形状を楕円形状とするとともに、楕円の短径を回動軸方向に設けたものである。
【００１７】
また他の手段は、本体の転倒時に回動したフロートを一時的に係止する係止手段を設けたものである。
【００１８】
また他の手段は、本体の転倒時に回動したフロートを一時的に係止する第１の係止具を支持脚部に設けたものである。
【００１９】
また他の手段は、貯水槽の開口する上面を覆うカバーを備え、本体の転倒時に回動したフロートを一時的に係止する第２の係止具を前記カバーに設けたものである。
【００２０】
これらの手段により、本体が前後左右のいずれの方向に転倒しても運転を停止するように動作し、また本体を起立させた際に不用意に再起動しない安全性の高い転倒スイッチを兼ねた水位検出装置が得られる。
【発明の効果】
【００２１】
本発明によれば、フロートを支持する水平方向の回動軸を、本体を横断する長手方向と同一水平面上で交差する方向に設置したことにより、部品点数を増やすことなく、前後左右４方向で動作する転倒スイッチを兼ねた水位検出装置を提供できる。
【００２２】
また、フロートの回動軸の軸方向と本体の長手方向との交差角度を４５度以内とすることにより、本体の転倒しやすい方向への応答性を比較的高めに設定することができるとともに、本体の断面形状に起因する転倒可能性の違いに対応した交差角度を４５度以内の適正角度に設定することができる。
【００２３】
また、マグネットをマグネットセンサーの直下に配置し、スイッチ手段を中心として、フロートの回動軸を本体の長手方向と交差する方向に設けたことで、マグネットおよびマグネットセンサーの位置関係が従来と同じになるため、センサー感度を損ねることなく前後左右４方向で動作することができる。
【００２４】
また、フロートの回動軸を、本体を横断する長手方向に合致させ、前記フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を設けたことで、本体の長手方向の転倒時に前記フロートの回動軸が傾き、前記当板部の傾斜面が前記支持脚部の突起片に当接して、前記フロートの回動軸が傾斜面に沿うように回動を始めることによりフロートを回動させ、本体の長手方向の転倒を検出することができる。
【００２５】
また、フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を設けたことで、本体の転倒時に、前記当板部の傾斜面が前記支持脚部の突起片に当接し、前記フロートの回動軸が傾斜面に従ってスムーズに回動する力、およびフロートの傾斜による回動力との合力によりフロートが回動し、本体の転倒を確実に検出できる。
【００２６】
また、フロートの回動軸をスラスト方向に遊びを設けて軸支する支持脚部と、回動軸が傾いたとき微小移動可能としたことで、本体の転倒時に、その遊び分の微小移動によるフロート自重力が働くことで、当板部の傾斜面が支持脚部の突起片に当接して、フロートの回動軸が傾斜面に従ってスムーズに回動することで、本体の転倒を検出することができる。
【００２７】
また、フロート天面に設けたマグネットと、本体に設けたマグネットセンサーからスイッチ手段を構成し、前記マグネットを前記フロートの回動軸中心より偏心して配置するとともに、フロートの下端部を前記マグネットと反対方向に突出して設けたことで、水位上昇時に回動する方向に対する回動モーメントが大きくなり、敏感に反応することができる。
【００２８】
また、フロートの胴体形状を楕円形状とするとともに、楕円の短径を回動軸方向に設けたことで、フロートの小型化および省スペース設置が可能で、かつ回動抵抗が少なく応答性を良好にして、本体の転倒時に運転を即座に停止することができる。
【００２９】
また、本体の転倒時に回動したフロートを一時的に係止する係止手段を設けたことで、転倒した後に本体を起立させた際、フロートは転倒した時の位置で固定されるため、不用意な再起動を防いで、安全性を保つことができる。
【００３０】
また、係止手段として第１の係止具を支持脚部に設けたことで、転倒した後に本体を起立させた際、フロートは転倒した時の位置で固定されるため、簡単な構成で不用意な再起動を防いで、安全性を保つことができる。
【００３１】
また、係止手段として第２の係止具を前記カバーに設けたことで、転倒した後に本体を起立させた際、フロートは転倒した時の位置で固定されるため、簡単な構成で不用意な再起動を防いで、安全性を保つことができる。
【発明を実施するための最良の形態】
【００３２】
本発明の請求項１記載の発明は、設置面形状が略矩形状の本体に設けられる貯水槽と、この貯水槽に水平方向の回動軸により回動可能に軸支されるフロートと、このフロートの回動位置を検出して前記本体に設けた電気回路を制御するスイッチ手段を有し、前記フロートの回動軸を、前記本体の長手方向と同一水平面上で交差する方向に設置したものであり、本体の転倒時に前後２方向の転倒検出に加えて、本体の左右２方向の転倒も検出できるので、フロートの取付け方向を変えるだけで、部品点数を増やすことなく前後左右の４方向の転倒を検出できるという作用を有する。
【００３３】
また、フロートの回動軸の軸方向と本体の長手方向との交差角度を４５度以内としたものであり、フロートの回動軸の軸方向と本体の長手方向との交差角度が小さいと本体の長手方向の転倒感度が鈍く、反対に交差角度が大きくなれば本体の長手方向の転倒感度が敏感になるので、本体の転倒しやすい方向への応答性を比較的高めに設定することができるとともに、本体の断面形状に起因する転倒可能性の違いに対応した交差角度を、４５度以内の適正な角度で設定することができるという作用を有する。
【００３４】
また、フロート天面に設けたマグネットと、本体に設けたマグネットセンサーからスイッチ手段を構成し、前記マグネットを前記マグネットセンサーの直下に配置し、前記スイッチ手段を中心として、前記フロートの回動軸を本体の長手方向と交差する方向に設けたものであり、従来とマグネットおよびマグネットセンサーの位置関係が同じ配置となるため、センサー感度を損なわずにフロートの設定ができるという作用を有する。
【００３５】
また、設置面形状が略矩形状の本体に設けられる貯水槽と、この貯水槽に回動可能に軸支されるフロートと、このフロートの回動位置を検出して前記本体に設けた電気回路を制御するスイッチ手段を有し、前記フロートの回動軸の方向を前記本体の長手方向に合致させ、前記フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を有し、前記フロートの回動軸が傾いたとき、前記当板部の傾斜面が前記支持脚部の突起片に当接して、前記フロートの回動軸が傾斜面に沿う方向に回動可能としたものであり、本体の長手方向の転倒時に、前記当板部の傾斜面が前記支持脚部の突起片に当接して、さらに前記フロートの回動軸が傾斜面に従ってスムーズに回動することで、本体の長手方向の転倒を感知できるという作用を有する。
【００３６】
また、設置面形状が略矩形状の本体に設けられる貯水槽と、この貯水槽に回動可能に軸支されるフロートと、このフロートの回動位置を検出して前記本体に設けた電気回路を制御するスイッチ手段と、前記フロートの回動軸を支持する支持脚部に設けた支持穴と、この支持穴に近接して前記支持脚部に設けた突起片と、前記回動軸の外周に付設した当板部と、この当板部の前記支持脚部側に形成した傾斜面を有し、前記フロートの回動軸が傾いたとき、前記当板部の傾斜面が前記支持脚部の突起片に当接して、前記フロートの回動軸が傾斜面に沿う方向に回動可能とするとともに、前記フロートの回動軸を前記本体を横断する長手方向に交差させたたものであり、本体の転倒時に、前記当板部の傾斜面が前記支持脚部の突起片に当接し、前記フロートの回動軸が傾斜面に従ってスムーズに回動する力、およびフロートの傾斜による回動力との合力によりフロートが回動し、本体の転倒を感知できるという作用を有する。
【００３７】
また、フロートの回動軸をスラスト方向に遊びを設けて軸支する支持脚部と、前記回動軸が傾いたとき微小移動可能としたものであり、本体の転倒時に、その遊び分の微小移動によるフロート自重力が働くことで、より確実に前記当板部の傾斜面が前記支持脚部の突起片に当接して、前記フロートの回動軸が傾斜面に従ってスムーズに回動することで、本体の転倒を感知できるという作用を有する。
【００３８】
また、フロート天面に設けたマグネットと、本体に設けたマグネットセンサーからスイッチ手段を構成し、前記マグネットを前記フロートの回動軸中心より偏心して配置するとともに、前記フロートの下端部を前記マグネットと反対方向に突出して設けたものであり、水位上昇時に回動する方向に対する回動モーメントが大きくなり、敏感に反応するという作用を有する。
【００３９】
また、フロートの胴体形状を楕円形状とするとともに、楕円の短径を回動軸方向に設けたものであり、フロートの小型化および省スペース設置が可能で、かつ回動抵抗が少なく応答性が良好であるという作用を有する。
【００４０】
また、本体の転倒時に回動したフロートを一時的に係止する係止手段を設けたものであり、転倒した後に本体を起立させた際、フロートは転倒した時の位置で固定されるため不用意な再起動を防ぐことができ、安全性が高くなるという作用を有する。
【００４１】
また、本体の転倒時に回動したフロートを一時的に係止する係止手段として、第１の係止具を支持脚部に設けることにより、転倒した後に本体を起立させた際、フロートは転倒した時の位置で固定されるため不用意な再起動ができず、安全性を高めるという作用を有する。
【００４２】
貯水槽の開口する上面を覆うカバーを備え、本体の転倒時に回動したフロートを一時的に係止する係止手段として、第２の係止具を前記カバーに設けたものであり、転倒した後に本体を起立させた際、フロートは転倒した時の位置で固定されるため不用意な再起動ができず、安全性を高めるという作用を有する。
【００４３】
以下、本発明の実施の形態について図面を参照しながら説明する。
【００４４】
（実施の形態１）
図１〜図５に示すように、除湿機からなる本体１は、その横断面の縦横寸法が異なる矩形状に形成され、本体１の長手方向に貯水槽２を着脱自在に設けている。貯水槽２にはフロート３が水平方向の回動軸６と一体に回動可能に軸支され、フロート３の天面にはマグネット４を設けている。本体１に設けたマグネットセンサー５をフロート３のマグネット４の上方に近接して配置し、マグネットセンサー５とマグネット４とでスイッチ手段を構成している。すなわち、フロート３の回動や水平移動により、マグネット４とマグネットセンサー５との距離が大きくなると、本体１の電気回路をオンオフ制御するようになっている。
【００４５】
また、マグネット４をマグネットセンサー５の直下に配置したスイッチ手段を中心として、フロート３の回動軸６の方向と本体１の長手方向とが同一平面状で交差するように、水平方向の回動軸６を貯水槽２内で斜め方向に配置することにより、断面矩形状の本体１が前後左右のいずれの方向に転倒しても、フロート３が回動してスイッチ手段が働くようにしている。このとき、回動軸６方向と本体１の長手方向との交差角度を４５度以内に設け、本体１が転倒し易い方向に対応して、長手方向との交差角度が小さくなるようにしている。なお、本実施例では交差角度を２０度に設定している。
【００４６】
そして、貯水槽２に貯まる水位の上昇に伴って、フロート３が回動する方向にカット面７の最下端部をやや突出して形成している。マグネット４はフロート３の回動軸６中心よりやや偏心して配置するとともに、フロート３の突出した下端部と反対方向に設け、回動軸６まわりの回転モーメントが発生しやすい構成としている。なお、貯水槽２には開口する上面を覆うカバー９を設けている。
【００４７】
上記構成において、除湿機の本体１の運転により貯水槽２に水滴が流入して水位が上がると、フロート３のカット面７の突出した下端部が押し上げられ、図５に示すようにフロート３は回動軸６を中心に時計方向に回動して大きく傾く。このときマグネット４がマグネットセンサー５より遠ざかり、貯水槽２が満水状態になればスイッチ手段として機能するので、本体１の電気回路をオフとして安全に停止することができる。
【００４８】
また、貯水槽２を本体１より引き出した場合には、貯水槽２とともにフロート３も引き出されることとなり、本体１のマグネットセンサー５とフロート３のマグネット４との距離が大きくなり、本体１の電気回路はオフ状態となる。
【００４９】
また、本体１が何らかの原因で転倒した場合について説明すると、図４に示すように、まず本体１が前方向または左方向に転倒したときは、回動軸６と本体１の長手方向の交差角度を２０度としているので、フロート３は回動軸６を中心として、水位上昇時と同一方向に大きく回動するので、マグネット４がマグネットセンサー５より遠ざかり、本体１の運転を停止することができる。このとき、本体の転倒方向が前方向のときは、本体の長手方向を中心として転倒するので、転倒方向が左方向のときに比べて、フロート３の回動軸６との交差角度が浅くなり、フロート３の感応性は大となる。
【００５０】
次に本体１が後方向または右方向に転倒したときは、フロート３は回動軸６を中心にして上記とは反対方向に大きく回動するので、マグネット４がマグネットセンサー５より遠ざかり、本体１の運転を緊急に停止することができる。このときも、前述と同様に本体の転倒方向が後方向のときは、本体の長手方向を中心として転倒するので、転倒方向が右方向のときに比べて、フロート３の回動軸６との交差角度が浅くなり、フロート３の感応性は大となる。
【００５１】
このように、本体１の前後左右４方向の転倒に対して、フロート３が回動し、本体１に設けたマグネットセンサー５を介して通電を停止させる構成としたので、本体１の転倒時に水位検出装置が転倒スイッチを兼ねることができ、転倒スイッチを個別に設ける必要がなく、構造の簡素化ならびにコストの低減を図ることができる。
【００５２】
なお、実施例１ではフロート３の回動方向を時計方向としたが、カット面７の方向を変えて反時計方向に回動するようにしてもよい。
【００５３】
なお、本実施の形態では、本体の断面形状を矩形状としたが、長円形状または楕円形状などの断面が横長形状の場合も、同様の効果を奏するものである。
【００５４】
（実施の形態２）
図６〜図１２に示すように、除湿機の本体１は横断面の縦横寸法が異なる矩形状に形成され、本体１の長手方向に引出自在に貯水槽２を設け、貯水槽２に回動可能に軸支されるフロート３と、このフロート３天面に設けたマグネット４と、本体１に設けたマグネットセンサー５から電気回路を制御するスイッチ手段を構成している。
【００５５】
フロート３の回動軸６は、本体１の長手方向と同一方向または同一平面上で浅い角度で交差する方向に配置され、本実施の形態では、フロート３の回動軸６を本体１の長手方向と同一方向としている。本体１の前後２方向の転倒に対しては、フロート３の回動により転倒を検出して運転停止できるものであり、フロート３の回動軸６は支持脚部１０に設けた支持穴１１に回動可能に支持されている。
【００５６】
また、支持穴１１に近接して支持脚部１０に突起片１２を設け、回動軸６の外周に当板部１３を設け、当板部１３の支持脚部１０側に傾斜面１４を形成している。フロート３の回動軸６は、本体１が左右方向に傾いたときに、当板部１３の傾斜面１４が支持脚部１０の突起片１２に当接して、フロート３の回動軸６が傾斜面１４に沿う方向に回動可能となるように軸支されている。
【００５７】
また、支持脚部１０は、フロート３の回動軸６をスラスト方向に遊び寸法を設けて軸支し、本体１が回動軸６方向に傾いたとき、回動軸６はスラスト方向に微小移動可能となっている。
【００５８】
また、合成樹脂製で逆椀状のフロート３の胴体形状を、楕円形状とするとともに、楕円の短径を回動軸６方向としている。
【００５９】
上記構成において、本体１が何らかの原因で、本体１の長手方向（左右方向）に転倒した場合には、フロート３の回動軸６が傾いて、フロート３の自重力が働くことで、回動軸６がスラスト方向に遊び分だけ微小移動して、当板部１３の傾斜面１４が支持脚部１０の突起片１２に当接するときに、回動軸６は当板部１３の傾斜面１４方向に回動する。すなわち、図１０〜図１２に示すように、フロート３の回動軸６が傾斜面１４に沿うように回動することで、フロート３に設けたマグネット４がマグネットセンサー５より遠ざかり、本体１の電気回路がオフとなる。
【００６０】
また、支持脚部１０がフロート３の回動軸６をスラスト方向に遊び寸法を設けて軸支する場合は、本体１の長手方向へ傾くときの勢いで、回動軸６がスラスト方向に微小移動して、フロート３の回動軸６が当板部１３の傾斜面１４に沿って素早く回動する。
【００６１】
このように、本体１の左右２方向の転倒に対しては、支持脚部１０に設けた突起片１２が、回動軸６の外周に設けた当板部１３の傾斜面１４に沿ってスライドすることにより、また回動軸６がスラスト方向に遊び寸法を有するときはスライド移動を加速することになり、フロート３が円滑に回動してスイッチ手段として機能することとなり、本体１の電気回路がオフとなるので、本体１の運転を安全に停止することができる。したがって、水位を検出するためのフロート３が、本体１の前後左右４方向の転倒スイッチを兼ねることができるものである。
【００６２】
また、フロート３の胴体形状を楕円形状とするとともに、楕円の短径を回動軸６方向に設けたことで、フロート３の小型化および省スペース設置が可能で、かつ回動抵抗が少なく応答性を良好とすることができる。
【００６３】
なお、フロート３の回動軸６が本体１の長手方向と同一平面上で交差する場合は、交差角度を４５度以下に設定するのが好ましく、先の実施の形態のように交差角度を２０度とすれば実用性が高い。
【００６４】
（実施の形態３）
図１３〜図１５で示すように、貯水槽２には開口する上面を覆うカバー９を備え、カバー９には本体１の転倒時に回動したフロート３を一時的に係止する係止具１５ａを設けている。また、図１６に示すように、係止具１５ｂを支持脚部１０に設けて、本体１の転倒時に回動したフロート３を一時的に係止する構成としてもよいものである。
【００６５】
上記構成において、本体１が何らかの原因で転倒すると、フロート３が大きく回動することにより転倒スイッチの機能を発揮して、本体１の電気回路を遮断して運転が停止される。そのときフロート３はカバー９に設けた係止具１５ａ、または支持脚部１０に設けた係止具１５ｂに端部が係止して保持される。次に本体１を起立させると、フロート３は転倒したときの状態、すなわち係止具１５ａまたは係止具１５ｂに係止された状態であるため、運転スイッチの操作をしても本体１の電気回路は遮断されたままであり、再起動ができないようにしている。したがって本体１内に貯水槽２の貯水が浸入して漏電の可能性がある場合でも、不容易に通電されることを防いで、安全性を確保することができるものである。
【００６６】
そして本体１を再起動させるときは、貯水槽２のカバー９を外すことにより、フロート３を係止具１５ａまたは係止具１５ｂから簡単に取り外すことができるので、フロート３を簡単に回動可能な状態に戻すことができる。
【産業上の利用可能性】
【００６７】
本発明は本体の転倒時に前後左右４方向で動作し、本体を起立させた際に再起動しない安全性の高い転倒スイッチを兼ねた水位検出装置であり、貯水槽を備えた空気調和機に適用できる。
【図面の簡単な説明】
【００６８】
【図１】本発明の実施の形態１の水位検出装置の構成を示す概略断面図
【図２】同、フロートの外観斜視図
【図３】同、貯水槽とフロートの位置関係を示す上面図
【図４】同、水位検出装置の構成を示す分解斜視図
【図５】同、フロートの回動状態を示す側面図（（イ）水位が低いとき、（ロ）水位が上昇するとき、（ハ）貯水槽が満水時）
【図６】本発明の実施の形態２の水位検出装置を備えた本体の右側面図
【図７】同、フロートの回動軸を本体の長手方向に一致させたときの貯水槽の斜視図
【図８】同、フロートと突起片を備えた支持脚の関係を示す要部拡大図
【図９】同、当板部に傾斜面を備えたフロートの外観斜視図
【図１０】同、当板部に傾斜面を備えたフロートの正面図
【図１１】同、フロートの当板部の傾斜面を示す拡大斜視図
【図１２】同、本体転倒時に突起片に対するフロートの状態を示す概略断面図（（イ）フロート回動前の状態、（ロ）フロート回動後の状態）
【図１３】本発明の実施の形態３の水位検出装置に関するカバー裏面の外観斜視図
【図１４】同、カバーの係止具へのフロートの係止状態を示す要部拡大図
【図１５】同、カバーの係止具へのフロートの他の係止状態を示す要部拡大図
【図１６】同、貯水槽内の支持脚に設けた係止具を示す斜視図
【図１７】従来の水位検出装置の構成を示す概略断面図
【符号の説明】
【００６９】
１      本体
２      貯水槽
３      フロート
４      マグネット
５      マグネットセンサー
６      回動軸
９      カバー
１０    支持脚部
１１    支持穴
１２    突起片
１３    当板部
１４    傾斜面
１５ａ  係止具
１５ｂ  係止具
【図１】
0005194697.tif 000002
【図２】
0005194697.tif 000003
【図３】
0005194697.tif 000004
【図４】
0005194697.tif 000005
【図５】
0005194697.tif 000006
【図６】
0005194697.tif 000007
【図７】
0005194697.tif 000008
【図８】
0005194697.tif 000009
【図９】
0005194697.tif 000010
【図１０】
0005194697.tif 000011
【図１１】
0005194697.tif 000012
【図１２】
0005194697.tif 000013
【図１３】
0005194697.tif 000014
【図１４】
0005194697.tif 000015
【図１５】
0005194697.tif 000016
【図１６】
0005194697.tif 000017
【図１７】
0005194697.tif 000018